(57)【要約】      （修正有）【課題】ディスクメディアの取り出し、収納を簡単な操作で行なうことができるディスクメディア収納体を提供する。【解決手段】ディスクメディア収納体１０は互いに連接された第１片体１４、第２片体１６、第３片体１８を備えている。第３片体の第３折れ線４２部分が谷折りされ、本体片４４と折り返し片４６との間からディスクメディアＤがディスクメディア挿入用切れ目４０に挿入され、ディスクメディアＤの外周部がディスクメディア挿入用切れ目の両端の第３折れ線の内端部分４２Ａに係止されている。第２折れ線２２部分が谷折りされディスクメディアＤと共に第３片体が第１片体上に折り畳まれている。第１折れ線２０部分が谷折りされ第３片体上に第２片体が折り畳まれ、かつ、係止部４８が係止用切れ目２４に挿入されている。【選択図】図８
2006111302.tif 000002
【特許請求の範囲】
【請求項１】
紙製または合成樹脂製の薄肉の一枚の片体からなり円盤状の記録媒体であるディスクメディアを収納するディスクメディア収納体であって、
前記片体は、互いに連接された第１、第２、第３片体を備え、
前記第１片体は前記ディスクメディアよりも大きな輪郭を有しその縁部に互いに直交する第１折れ線と第２折れ線を有し、
前記第２片体は前記ディスクメディアよりも大きな輪郭を有し前記第１片体に前記第１折れ線を介して連接され、
前記第３片体は前記第１片体に前記第２折れ線を介して連接され、
前記第３片体は、前記第２折れ線と対向して延在する第１の縁と、前記第１の縁の延在方向で前記第２片体側の端部から前記第２折れ線に向かって延在し前記第２の折れ線に繋がる第２の縁と、前記第１の縁の延在方向で前記第２片体とは反対側の端部から前記第２折れ線に向かって延在し前記第２の折れ線に繋がる第３の縁とを有し、
前記第２折れ線からディスクメディアの半径以上の距離をおいた前記第３片体の箇所に、前記第２の縁および第３の縁との間にそれぞれ間隔をおき前記第２の縁から第３の縁に向かって延在し前記第２折れ線と平行する方向に沿って延在する長さがディスクメディアの直径よりも小さい寸法のディスクメディア挿入用切れ目が形成されると共に、前記ディスクメディア挿入用切れ目の両端からそれぞれ前記第２の縁および第３の縁に至る第３折れ線が形成され、これらディスクメディア挿入用切れ目とその両側の第３折れ線により前記第３片体は、前記第２折れ線から前記ディスクメディア挿入用切れ目および両側の第３折れ線までの間の本体片と、前記ディスクメディア挿入用切れ目および両側の第３折れ線から前記第１の縁までの間の折り返し片とに区画され、
前記折り返し片寄りに位置する前記本体片を構成する前記第２の縁の部分または前記本体片寄りに位置する前記折り返し片を構成する前記第２の縁の部分の少なくとも一方は、前記第１折れ線の延長線上または前記延長線よりも前記第１片と第２片とが並べられた方向で前記第１片に向かう方向に偏位した箇所を通る前記第２の縁の他の部分に比べ、前記第１折れ線の延長線よりも前記第１片と第２片とが並べられた方向で前記第１片から第２片に向かう方向に突出して形成され、
前記第１折れ線の延長線よりも前記第１片と第２片とが並べられた方向で前記第１片から第２片に向かう方向に突出して形成された前記本体片の部分または折り返し片の部分により係止部が構成され、
前記第１折れ線に、前記係止部の挿入を可能とした係止用切れ目が前記第１折れ線に沿って延在形成され、
前記第３折れ線部分が谷折りされ前記第２折れ線方向から本体片と折り返し片との間にディスクメディアが挿入されてディスクメディアの外周部が両側の第３折れ線と前記ディスクメディア挿入用切れ目の両端との境の部分である両側の第３折れ線の内端部分に係止され、
前記第２折れ線部分が谷折りされ前記両側の第３折れ線の内端部分に係止されたディスクメディアと共に第３片体が前記第１片体上に折り畳まれ、
前記１折れ線部分が谷折りされ前記第３片体上に前記第２片体が折り畳まれ、かつ、前記係止部が前記係止用切れ目に挿入される、
ことを特徴とするディスクメディア収納体。
【請求項２】
前記第２片体は、前記第１折れ線部分が谷折りされた状態で前記第１片体に合致する形状で形成されていることを特徴とする請求項１記載のディスクメディア収納体。
【請求項３】
前記第１、２片体は矩形状に形成されていることを特徴とする請求項１記載のディスクメディア収納体。
【請求項４】
前記本体片はディスクメディアよりも大きな輪郭を有していることを特徴とする請求項１記載のディスクメディア収納体。
【請求項５】
前記第３折れ線は前記第２折れ線と平行して延在していることを特徴とする請求項１記載のディスクメディア収納体。
【請求項６】
前記係止部は、前記折り返し片寄りに位置する前記本体片の部分および前記本体片寄りに位置する前記折り返し片の部分の双方に形成されていることを特徴とする請求項１記載のディスクメディア収納体。
【請求項７】
前記係止部は、前記折り返し片寄りに位置する前記本体片の部分および前記本体片寄りに位置する前記折り返し片の部分の双方に形成され、前記係止用切れ目は、前記１枚の片体の厚さの２倍の寸法の幅を持って延在形成されていることを特徴とする請求項１記載のディスクメディア収納体。
【請求項８】
前記第３片体は、前記第２折れ線に繋がる基部と、前記基部に繋がる幅広部とで構成され、前記基部を構成する前記第２の縁は前記第１折れ線の延長線上を延在し、前記幅広部は、前記第２の縁と前記第３の縁との間隔がディスクメディアの直径よりも大きい寸法の幅で形成され、前記幅広部を構成する前記第２の縁は、前記第１折れ線の延長線よりも前記第１片と第２片とが並べられた方向で前記第１片から第２片に向かう方向に偏位した箇所を延在し、前記折り返し片は前記幅広部に形成され、前記係止部は、前記幅広部を構成する第２の縁を含んで構成されていることを特徴とする請求項１記載のディスクメディア収納体。
【請求項９】
前記ディスクメディア挿入用切れ目および第３の折れ線は、前記ディスクメディア挿入用切れ目にディスクメディアが挿入されディスクメディアの外周部が前記両側の第３折れ線の内端部分に係止した状態で前記ディスクメディア挿入用切れ目に挿入されたディスクメディアの箇所と反対側に位置するディスクメディアの箇所の外周縁が前記第２折れ線の近傍に位置するように形成されていることを特徴とする請求項１記載のディスクメディア収納体。
【請求項１０】
前記ディスクメディア挿入用切れ目はディスクメディアの外周と合致する円弧状に延在していることを特徴とする請求項１記載のディスクメディア収納体。
【請求項１１】
前記第１折れ線は、前記１枚の片体の厚さの２倍の寸法の間隔をおき平行して延在する第１片体の縁部をなす第１片体側折れ線と、第２片体の縁部をなす第２片体側折れ線とで構成され、前記係止部は、その先端が前記第２片体側折れ線の延長線上に位置するように形成されていることを特徴とする請求項１記載のディスクメディア収納体。
【請求項１２】
前記第３片体は２つ設けられ、
前記第１片体は２つのディスクメディアの輪郭の和よりも大きな輪郭を有しその縁部に前記第１折れ線と直交する２本の第２折れ線を有し、
前記第２片体は２つのディスクメディアの輪郭の和よりも大きな輪郭を有し、
前記２つの第３片体は前記第１片体に前記第２折れ線を介してそれぞれ連接され、
前記係止用切れ目は、第１折れ線に沿って２つ設けられ、
前記各第３片体の第３折れ線部分が谷折りされ前記第２折れ線方向から本体片と折り返し片との間にディスクメディアが挿入されてディスクメディアの外周部が両側の第３折れ線と前記ディスクメディア挿入用切れ目の両端との境の部分である両側の第３折れ線の内端部分に係止され、
前記２本の第２折れ線部分がそれぞれ谷折りされディスクメディアと共に２つの第３片体が前記第１片体上に折り畳まれ、
前記１折れ線部分が谷折りされ前記２つの第３片体上に前記第２片体が折り畳まれ、かつ、前記各第３片体の係止部が前記係止用切れ目にそれぞれ挿入されることを特徴とする請求項１記載のディスクメディア収納体。
【発明の詳細な説明】
【技術分野】
【０００１】
本発明はＣＤやＤＶＤなどのような円盤状の記録媒体であるディスクメディアを収納する簡易な構造のディスクメディア収納体に関する。
【背景技術】
【０００２】
例えば、パソコンやプリンタ、デジタルカメラなどの電子機器を梱包して輸送する際、それら電子機器の取り扱いマニュアルやプログラムソフトが記録されたＣＤやＤＶＤなどのような円盤状の記録媒体であるディスクメディアが電子機器と共に梱包される。
このようにディスクメディアを電子機器と共に梱包して輸送する際や、あるいはディスクメディアを単体で輸送する際に、従来、構造簡易で安価なディスクメディア収納体が用いられている。
この種のディスクメディア収納体の多くは、紙製または合成樹脂製の薄肉の一枚の片体から構成されており、従来、種々の構成のものが提案されている（例えば、特許文献１、特許文献２）。
【特許文献１】特開平１０−３３８２８５
【特許文献２】特開平１１−２０８１６４
【発明の開示】
【発明が解決しようとする課題】
【０００３】
しかしながら、何れの従来の構造でも、ディスクメディアの取り出し、収納を簡単な操作で行なうことができない不具合があった。
本発明は前記事情に鑑み案出されたものであって、本発明の目的は、ディスクメディアの取り出し、収納を簡単な操作で行なうことができるディスクメディア収納体を提供することにある。
【課題を解決するための手段】
【０００４】
前記目的を達成するため本発明は、紙製または合成樹脂製の薄肉の一枚の片体からなり円盤状の記録媒体であるディスクメディアを収納するディスクメディア収納体であって、前記片体は、互いに連接された第１、第２、第３片体を備える。前記第１片体は前記ディスクメディアよりも大きな輪郭を有しその縁部に互いに直交する第１折れ線と第２折れ線を有している。前記第２片体は前記ディスクメディアよりも大きな輪郭を有し前記第１片体に前記第１折れ線を介して連接されている。前記第３片体は前記第１片体に前記第２折れ線を介して連接されている。前記第３片体は、前記第２折れ線と対向して延在する第１の縁と、前記第１の縁の延在方向で前記第２片体側の端部から前記第２折れ線に向かって延在し前記第２の折れ線に繋がる第２の縁と、前記第１の縁の延在方向で前記第２片体とは反対側の端部から前記第２折れ線に向かって延在し前記第２の折れ線に繋がる第３の縁とを有している。前記第２折れ線からディスクメディアの半径以上の距離をおいた前記第３片体の箇所に、前記第２の縁および第３の縁との間にそれぞれ間隔をおき前記第２の縁から第３の縁に向かって延在し前記第２折れ線と平行する方向に沿って延在する長さがディスクメディアの直径よりも小さい寸法のディスクメディア挿入用切れ目が形成されると共に、前記ディスクメディア挿入用切れ目の両端からそれぞれ前記第２の縁および第３の縁に至る第３折れ線が形成されている。これらディスクメディア挿入用切れ目とその両側の第３折れ線により前記第３片体は、前記第２折れ線から前記ディスクメディア挿入用切れ目および両側の第３折れ線までの間の本体片と、前記ディスクメディア挿入用切れ目および両側の第３折れ線から前記第１の縁までの間の折り返し片とに区画されている。前記折り返し片寄りに位置する前記本体片を構成する前記第２の縁の部分または前記本体片寄りに位置する前記折り返し片を構成する前記第２の縁の部分の少なくとも一方は、前記第１折れ線の延長線上または前記延長線よりも前記第１片と第２片とが並べられた方向で前記第１片に向かう方向に偏位した箇所を通る前記第２の縁の他の部分に比べ、前記第１折れ線の延長線よりも前記第１片と第２片とが並べられた方向で前記第１片から第２片に向かう方向に突出して形成されている。前記第１折れ線の延長線よりも前記第１片と第２片とが並べられた方向で前記第１片から第２片に向かう方向に突出して形成された前記本体片の部分または折り返し片の部分により係止部が構成されている。前記第１折れ線に、前記係止部の挿入を可能とした係止用切れ目が前記第１折れ線に沿って延在形成されている。前記第３折れ線部分が谷折りされ前記第２折れ線方向から本体片と折り返し片との間にディスクメディアが挿入されてディスクメディアの外周部が両側の第３折れ線と前記ディスクメディア挿入用切れ目の両端との境の部分である両側の第３折れ線の内端部分に係止される。前記第２折れ線部分が谷折りされ前記両側の第３折れ線の内端部分に係止されたディスクメディアと共に第３片体が前記第１片体上に折り畳まれる。前記１折れ線部分が谷折りされ前記第３片体上に前記第２片体が折り畳まれ、かつ、前記係止部が前記係止用切れ目に挿入される。
【発明の効果】
【０００５】
本発明のディスクメディア収納体によれば、ディスクメディアの取り出し、収納を簡単な操作で行なうことができる。
また、ディスクメディア収納体は、１枚の片体からなる簡単な構成であり、安価に製作することができる。
本発明のディスクメディア収納体は、例えば、パソコンやプリンタ、デジタルカメラなどの電子機器を梱包して輸送する際、それら電子機器の取り扱いマニュアルやプログラムソフトが記録されたディスクメディアＤを電子機器と共に梱包する場合に用いられて好適となる。
【発明を実施するための最良の形態】
【０００６】
本発明は、互いに直交する方向に連接された第１片体、第２片体、第３片体からなる一枚の片体を用い、前記第３片体に本体片と折り返し片を設け、ディスクメディアの外周部を、折り畳まれた本体片と折り返し片との境の部分に形成したディスクメディア挿入用切れ目に挿入し、本体片をディスクメディアと共に第１片体上に折り畳み、その上に第２片体を折り畳み、第３片体の係止部を、第１片体と第２片体の境の部分に形成した係止用切れ目に挿入することで達成した。
以下、実施例１のディスクメディア収納体から説明する。
【実施例１】
【０００７】
図１は実施例１のディスクメディア収納体の斜視図を示す。
ディスクメディア収納体１０は互いに連接された第１片体１４、第２片体１６、第３片体１８を備えている。
第３片体１８の第３折れ線４２部分が谷折りされ、本体片４４と折り返し片４６との間からディスクメディアＤがディスクメディア挿入用切れ目４０に挿入され、ディスクメディアＤの外周部がディスクメディア挿入用切れ目４０の両端の第３折れ線４２の内端部分４２Ａに係止されている。
第２折れ線２２部分が谷折りされディスクメディアＤと共に第３片体１８が第１片体１４上に折り畳まれている。
第１折れ線２０部分が谷折りされ第３片体１８上に第２片体１６が折り畳まれ、かつ、係止部４８が係止用切れ目２４に挿入されている。
【０００８】
以下、ディスクメディア収納体の構成について詳細に説明する。
図２はディスクメディア収納体を構成する一枚の片体の展開図（平面図）、図３は図２の状態から第３折れ線部分が谷折りされた平面図、図４は図３の状態から折り返し片の下にディスクメディアが挿入されディスクメディアの外周部が第３折れ線の内端部分に係止された図、図５は図４の状態から第３片体をディスクメディアと共に第１片体上に折り返した図、図６は図５の状態から第２片体を第１片体および第３片体上に折り返した図を示す。
実施例１のディスクメディア収納体１０は、ＣＤやＤＶＤなどのような円盤状の記録媒体であるディスクメディアＤを収納するもので、図２に示すように、厚紙（例えばボール紙）製、表面が樹脂コーティングされた紙製、または合成樹脂（例えばポリプロピレン）製の薄肉の一枚の片体１２から構成されている。
片体１２は、互いに連接された第１片体１４、第２片体１６、第３片体１８を備えている。
【０００９】
第１片体１４はディスクメディアＤよりも大きな輪郭を有し、本実施例では、ディスクメディアＤの直径よりも大きい寸法の左右方向の幅と、この幅よりも大きい寸法の上下方向の高さとを有した上下に縦長の矩形に形成されている。
第１片体１４の左縦辺と下辺は直交しており、左縦辺の外縁に沿って第１折れ線２０が直線状に形成され、下辺の外縁に沿って第２折れ線２２が直線状に形成され、第１折れ線２０と第２折れ線２２は直交するように設けられている。
第２片体１６はディスクメディアＤよりも大きな輪郭を有し矩形状に形成され、本実施例では、第２片体１６は、第１折れ線２０部分が谷折りされた状態で第１片体１４に合致する形状で形成されている。
第１折れ線２０と第２折れ線２２は、第1片体１４の上に第2片体１６が折り畳まれ易いように、例えば、ミシン目で構成され、あるいはその部分のみを直線状に押し潰して筋を付けるなどして構成されている。
【００１０】
本実施例では、第1片体１４の上に第2片体１６が折り畳まれた状態で、図１に示すように、第2片体１６が第1片体１４に対してほぼ平行して延在するように、第１折れ線２０は、ディスクメディアＤの厚さなどを考慮して互いに間隔Ｓをおき平行して延在する第１片体側折れ線２０Ａと第２片体側折れ線２０Ｂとの２本の折れ線で構成されている。第１片体側折れ線２０Ａは第１片体１４の縁部を構成し、第２片体側折れ線２０Ｂは第２片体１６の縁部を構成している。
そして、第２片体側折れ線２０Ｂの延在方向に沿った中間の箇所に、より詳細には、第２折れ線２２寄りの箇所に、第２片体側折れ線２０Ｂに沿って縦切れ目２４Ａが延在形成され、縦切れ目２４Ａの延在方向の両端は、左右に延在する横切れ目２４Ｂを介して第１片体側折れ線２０Ａに接続され、本実施例では、縦切れ目２４Ａと上下の横切れ目２４Ｂにより係止用切れ目２４が構成されている。
なお、理論的には、第１片体側折れ線２０Ａ部分と第２片体側折れ線２０Ｂ部分が谷折りされ、第１片体１４の上に第２片体１６が平行した状態で折り畳まれると、第１片体側折れ線２０Ａと第２片体側折れ線２０Ｂとの間の部分２０Ｘが第１片体１４および第２片体１６の双方に対してに直交して延在する上下に縦長の背となり（実際には片体１２の厚さにより湾曲状に折り曲げられた背となる）、平面視した場合、第１片体側折れ線２０Ａと第２片体側折れ線２０Ｂが合致するので、係止用切れ目２４は、第１折れ線２０の延在方向に沿った中間の箇所で第２折れ線２２寄りの箇所に第１折れ線２０に沿って直線状に延在形成されているということができる。
なお、この係止用切れ目２４は後述する係止部４８が挿入されるように係止部４８に対応した長さで延在形成されている。
また、係止用切れ目２４は縦切れ目２４Ａと上下の横切れ目２４Ｂから構成され、第１片体側折れ線２０Ａ部分と第２片体側折れ線２０Ｂ部分が谷折りされた状態で、第１片体側折れ線２０Ａと第２片体側折れ線２０Ｂとの間隔Ｓに対応した幅で形成されることになる。本実施例では、後述するように第３折れ線４２を境に折り畳まれた幅広部３８のうちが第１片体側折れ線２０Ａの延長線よりも突出する部分により係止部４８が構成されているので、この係止部４８が係止用切れ目２４に挿入され易いように、係止用切れ目２４の幅（第１片体側折れ線２０Ａと第２片体側折れ線２０Ｂとの間隔Ｓ）は一枚の片体１２の厚さの２倍の寸法で形成されている。
【００１１】
第３片体１８は第１片体１４に第２折れ線２２を介して連接されている。
第３片体１８は、第１片体１４よりも左右方向の幅及び上下方向の高さがそれぞれ小さい寸法の矩形状に形成されている。
より詳細に説明すると、第３片体１８の外縁は、第２折れ線２２と対向し第２折れ線２２と平行して直線状に延在する第１の縁３２と、第２折れ線２２の延在方向の両端のうち第２片体１６寄りの端部から第１折れ線２０の延在方向に沿って延在し第１の縁３２の一方の端部に繋がる第２の縁３４と、第２折れ線２２の他方の端部から直線状に延在し第１の縁３２の他方の端部に繋がる第３の縁３６とで構成されている。
第３片体１８は、第２折れ線２２に繋がる基部３７と、基部３７に繋がる幅広部３８とで構成されている。
第３の縁３６は、基部３７の縁と幅広部３８の縁とで構成され、第３の縁３６は、第２折れ線２２を境に第３片体１８を第１片体１４上に折り畳んだ際に、第１片体１４の内側に位置するように第２折れ線２２に対して直交する直線上を延在している。
【００１２】
幅広部３８は、第２の縁３４と第３の縁３６との間隔がディスクメディアＤの直径よりも大きい寸法の幅で形成されている。
第２折れ線２２からディスクメディアＤの半径以上の距離をおいた幅広部３８の箇所に、第２の縁３４および第３の縁３６との間にそれぞれ間隔をおき第２の縁３４から第３の縁３６に向かって延在するディスクメディア挿入用切れ目４０が形成されている。
ディスクメディア挿入用切れ目４０は、ディスクメディアＤの外周部が挿入され係止されるように、第２折れ線２２と平行する方向に沿って延在する長さがディスクメディアＤの直径よりも小さい寸法で形成されている。
また、ディスクメディア挿入用切れ目４０の両端からそれぞれ第２の縁３４および第３の縁３６に至る第３折れ線４２が形成されている。
【００１３】
両側の第３折れ線４２は、第２折れ線２２と平行して直線状に延在形成されている。なお、第３折れ線４２は、第１折れ線２０および第２折れ線２２と同様に、例えば、ミシン目で構成され、あるいはその部分のみを直線状に押し潰して筋を付けるなどして構成されている。
そして、ディスクメディア挿入用切れ目４０とその両側の第３折れ線４２により第３片体１８は、第２折れ線２２からディスクメディア挿入用切れ目４０および両側の第３折れ線４２までの間の本体片４４と、ディスクメディア挿入用切れ目４０および両側の第３折れ線４２から第１の縁３２までの間の折り返し片４６とに区画され、本体片４４はディスクメディアＤよりも大きな輪郭を有するように形成されている。
本実施例では、ディスクメディア挿入用切れ目４０は、ディスクメディアＤの外周と合致する円弧状に延在形成されている。したがって、ディスクメディア挿入用切れ目４０の両側の第３折れ線４２部分を谷折りし、折り返し片４６を本体片４４上に折り畳むと、ディスクメディア挿入用切れ目４０の近傍の本体片４４箇所に、ディスクメディア挿入用切れ目４０により縁取られた円弧部４４０２が現れることになる。
【００１４】
本実施例では、ディスクメディア挿入用切れ目４０および第３の折れ線４２は、図２乃至図４に示すように、第３折れ線４２部分が谷折りされ第２折れ線２２方向から本体片４４と折り返し片４６との間にディスクメディアＤが挿入されてディスクメディアＤの外周部が両側の第３折れ線４２とディスクメディア挿入用切れ目４０の両端との境の部分である両側の第３折れ線４２の内端部分４２Ａに係止された状態で、ディスクメディア挿入用切れ目４０に挿入されたディスクメディアＤの箇所と反対側に位置するディスクメディアＤの箇所の外周縁が第２折れ線２２の近傍に位置するように形成されている。
このような構成により、図５に示すように、第２折れ線２２部分が谷折りされ両側の第３折れ線４２の内端部分４２Ａに係止されたディスクメディアＤと共に第３片体１８が第１片体１４上に折り畳まれた状態で、ディスクメディアＤは、両側の第３折れ線４２の内端部分４２Ａと第２折れ線２２部分とにより、第２折れ線２２と直交する方向へのディスクメディアＤの移動を阻止するようにしている。無論、第２折れ線２２の延在方向と平行する方向へのディスクメディアＤの移動は、ディスクメディアＤの外周部が両側の第３折れ線４２の内端部分４２Ａに係止することで阻止されている。
【００１５】
第２の縁３４は、図２に示すように、基部３９の縁３４０２と幅広部３８の縁３４０４とで構成されている。
基部３９の縁３４０２は、第２折れ線２２の第２片体１６寄りの端部から第１折れ線２０の延長線上を直線状に延在している（詳細には、第１片体側折れ線２０Ａの延長線上を直線状に延在している）。
幅広部３８の縁３４０４は、基部３９の縁３４０２の端部から基部３９の縁３４０２の延長線よりも第１片体１４と第２片体１６とが並べられた方向で第１片体１４から第２片体１６に向かう方向に偏位した箇所を基部３９の縁３４０２と平行して直線状に延在し、本実施例では、第２片体側折れ線２０Ｂの延長線上を直線状に延在している。
理論的に述べると、先にも述べたように、第１片体側折れ線２０Ａ部分と第２片体側折れ線２０Ｂ部分が谷折りされ、第1片体１４の上に第２片体１６が平行した状態で折り畳まれると、第１片体側折れ線２０Ａと第２片体側折れ線２０Ｂとの間の部分２０Ｘが第１片体１４および第２片体１６の双方に対してに直交して延在する上下に縦長の背となり（実際には片体１２の厚さにより湾曲状に折り曲げられた背となる）、平面視した場合、第１片体側折れ線２０Ａと第２片体側折れ線２０Ｂが合致する。
【００１６】
したがって、図２において第１片体１４および第３片体１８を基準として考えると、第１片体１４と第２片体１６とが折り畳まれる第１折れ線２０は第１片体側折れ線２０Ａとなり、第３折れ線４２部分を谷折りして本体片４４の上に折り返し片４６を折り畳み、この状態の第３片体１８を第１片体１４上に折り畳むと、幅広部３８を構成する本体片４４と折り返し片４６の縁３４０４は、第１折れ線２０（第１片体側折れ線２０Ａ）の延長線よりも第１片１４と第２片１６とが並べられた方向で第１片１４から第２片１６に向かう方向に偏位した箇所を直線状に延在する。
そして、第１折れ線２０（第１片体側折れ線２０Ａ）の延長線よりも第１片１４と第２片１６とが並べられた方向で第１片１４から第２片１６に向かう方向に突出した幅広部３８の部分により係止部４８が形成されている。
本実施例では、縁３４０４の全長にわたる本体片４４の部分と縁３４０４の全長にわたる折り返し片４６の部分により係止部４８が形成されている。幅広部３８の縁３４０４は第２片体側折れ線２０Ｂの延長線上を直線状に延在しているので、係止部４８の先端は、第１片体側折れ線２０Ａの延長線よりも第２片体１６側に一枚の片体１２の厚さの２倍の寸法突出していることになる。
したがって、第３折れ線４２部分を谷折りして本体片４４の上に折り返し片４６を折り畳み、この状態の第３片体１８を第２折れ線２２部分を谷折りして第１片体１４上に折り畳み、図６に示すように、その上に第１折れ線２０部分を谷折りして第２片体１６を折り畳むと、この第２片体１６を折り畳む操作にのみより自動的に係止部４８が係止用切れ目２４に挿入され、係止されることになる。
【００１７】
次に、ディスクメディア収納体１０の組み立て方法と共にディスクメディアＤの収納方法について説明する。
まず、図２に示す一枚の片体１２の第３折れ線４２部分を谷折りし、図３に示すように、本体片４４の上に折り返し片４６を折り畳む。
次に、図４に示すように、第２折れ線２２方向から本体片４４と折り返し片４６との間に、記録面を本体片４４に臨ませてディスクメディアＤを挿入し、ディスクメディアＤの外周部を両側の第３折れ線４２とディスクメディア挿入用切れ目４０の両端との境の部分である両側の第３折れ線４２の内端部分４２Ａに係止させる。
次に、図７に斜視図で示し、また、図５に示すように、第２折れ線２２部分を谷折りし、両側の第３折れ線４２の内端部分４２Ａに係止されたディスクメディアＤと共に第３片体１８を第１片体１４上に折り畳む。
次に、図８、図１に斜視図で示し、また、図６に示すように、第１折れ線２０部分を谷折りし、第３片体１８上に第２片体１６を折り畳む。
第３片体１８上に第２片体１６を折り畳むと、係止部４８が係止用切れ目２４に挿入されて係止され、図１、図６に示すように、ディスクメディアＤが収納された状態で第１片体１４と第３片体１８とが間隔をおき平行して延在する扁平な矩形板状のディスク収納体１０が得られる。
したがって、ディスクメディアＤを挿入して一枚の片体１２を折り畳んでいくという簡単な操作によりディスクメディアＤをディスクメディア収納体１０に収納することができる。
また、ディスクメディアＤがディスク収納体１０に収納された状態で、記録面は本体片４４および第２片体１６で覆われ、レーベル面は第１片体１４で覆われるので、ディスクメディアＤの損傷を防止する上でも有利となる。
【００１８】
なお、係止部４８が係止用切れ目２４に挿入され、係止されることで、例えば、第１片体１４および第３片体１８上に第２片体１６を折り畳んだ状態から、第１片体１４および第３片体１８に対して例えば９０度の範囲で第２片体１６を開いても、あるいは、１２０度の範囲で第２片体１６を開いても、係止部４８が係止用切れ目２４に挿入され、係止された状態が維持され、第３片体１８が第１片体１４に対して開くことが阻止される。
この第３片体１８が第１片体１４に対して開く所定の開度は、すなわち、係止部４８が係止用切れ目２４から外れる第２片体１６の第１片体１４および第３片体１８に対する所定の開度は、係止部４８の突出長さを適宜設定することで決定される。
ただし、係止部４８の突出長さが所定値以上になると、実施例のように、第２片体１６を折り畳む操作にのみより自動的に係止部４８が係止用切れ目２４に挿入されず、第２片体１６を折り畳む操作とは別に係止部４８を係止用切れ目２４に挿入する操作が必要となる。
【００１９】
次に、ディスクメディア収納体１０からディスクメディアＤを取り出す方法について説明する。
まず、図８、図５に示すように、第１片体１４および第３片体１８上に対して第１折れ線２０部分を境に第２片体１６を所定の開度以上に開く。
これにより係止部４８が係止用切れ目２４から外れ、第３片体１８は第２折れ線２２部分を境に開くことが可能となる。
そこで、図７、図４に示すように、第３片体１８を第２折れ線２２部分を境に第１片体１４に対して開く。
第３片体１８を開くと、ディスクメディアＤは、本体片４４上に載置されその外周部の一部がディスクメディア挿入用切れ目４０に挿入され、両側の第３折れ線４２の内端部分４２Ａに係止されているので、ディスクメディアＤをディスクメディア挿入用切れ目４０から抜き出すことで取り出すことができる。
したがって、第２片体１６、第３片体１８を順に開いていくという簡単な操作によりディスクメディアＤをディスクメディア収納体１０から取り出すことができる。
【００２０】
なお、取り出したディスクメディアＤをディスクメディア収納体１０に再度収納する場合には、図７に示すように、第１折れ線２０部分および第２折れ線２２部分ならびに第３折れ線４２部分は折りぐせが付いているので、第３折れ線４２部分を境に本体片４４の上に折り返し片４６を折り畳む操作、本体片４４と折り返し片４６との間からディスクメディアＤをディスクメディア挿入用切れ目４０に挿入し、ディスクメディアＤの外周部を両側の第３折れ線４２の内端部分４２Ａに係止させる操作、第２折れ線２２部分を境にディスクメディアＤと共に第３片体１８を第１片体１４上に折り畳む操作、第１折れ線２０部分を境に第３片体１８上に第２片体１６を折り畳む操作をそれぞれ簡単に行え、したがって、ディスクメディアＤのディスクメディア収納体１０への収納をより簡単に行うことが可能なる。
【００２１】
以上の説明で明らかなように、本実施例のディスクメディア収納体１０によれば、ディスクメディアＤの取り出し、収納を簡単な操作で行なうことができる。
また、ディスクメディア収納体１０は、１枚の片体１２からなる簡単な構成であり、安価に製作することができる。
したがって、例えば、パソコンやプリンタ、デジタルカメラなどの電子機器を梱包して輸送する際、それら電子機器の取り扱いマニュアルやプログラムソフトが記録されたディスクメディアＤを電子機器と共に梱包する場合に用いられて好適となる。
【００２２】
また、本実施例では、本体片４４と折り返し片４６との間からディスクメディア挿入用切れ目４０にディスクメディアＤが挿入されディスクメディアＤの外周部が両側の第３折れ線４２の内端部分４２Ａに係止された状態で、ディスクメディア挿入用切れ目４０に挿入されたディスクメディアＤの箇所と反対側に位置するディスクメディアＤの箇所の外周縁が第２折れ線２２の近傍に位置するように形成されているので、第３片体１８が第１片体１４上に折り畳まれた状態で、ディスクメディアＤは、両側の第３折れ線４２の内端部分４２Ａと第２折れ線２２部分とにより、第２折れ線２２と直交する方向へのディスクメディアＤの移動が阻止され、また、第２折れ線２２の延在方向と平行する方向へのディスクメディアＤの移動が、ディスクメディアＤの外周部が両側の第３折れ線４２の内端部分４２Ａに係止することで阻止されている。
すなわち、ディスクメディアＤがディスクメディア収納体１０に収納された状態でその記録面に沿ったディスクメディアＤの動きが阻止されているので、記録面へ紙粉やほこりが付着し擦れることで記録面が損傷するなどの不具合を解消する上で有利となる。
【００２３】
なお、本体片４４と折り返し片４６との間からディスクメディア挿入用切れ目４０にディスクメディアＤが挿入されディスクメディアＤの外周部が両側の第３折れ線４２の内端部分４２Ａに係止された状態で、ディスクメディア挿入用切れ目４０に挿入されたディスクメディアＤの箇所と反対側に位置するディスクメディアＤの箇所の外周縁が第２折れ線２２から離れた箇所に位置するように形成してもよいが、この場合には、ディスクメディアＤは、第２折れ線２２と直交する方向へ移動できるので、例えば、ディスクメディアＤと本体片４４とにわたり粘着テープを貼り付けたり、あるいは、ディスクメディアＤと折り返し片４６とにわたり粘着テープを貼り付けるなどのことが必要となる。したがって、実施例のように構成すると、粘着テープなどを何ら要せずディスクメディアＤをディスクメディア収納体１０に固定できるので、廃棄時にリサイクルを簡単に行え、環境問題を解消する上で有利となる。
また、本実施例では、ディスクメディアＤ単体をディスクメディア収納体１０に収納した場合について説明したが、例えば、透明な樹脂製の扁平な袋にディスクメディアＤを挿入しディスクメディアＤをその袋ごとディスクメディア収納体１０に収納するようにしてもよい。
【００２４】
また、本実施例では、ディスクメディア挿入用切れ目４０を、ディスクメディアＤの外周と合致する円弧状に延在形成した場合について説明したが、ディスクメディア挿入用切れ目４０の形状は直線であってもよく、屈曲した線であってもよく任意であるが、実施例のように構成すると、円弧部４４０２を含んだ本体片４４によりディスクメディアＤの記録面を保護する上で有利となる。
また、第３片体１８においてディスクメディア挿入用切れ目４０および両側の第３折れ線４２が形成される幅広部３８の幅は、例えば、ディスクメディアＤの直径近傍箇所を係止する場合、ディスクメディアＤの直径よりも大きい寸法であることが必要であるが、基部３９などの幅広部３８以外の箇所の幅は、例えば、ディスクメディアＤの直径の半分以下の寸法で形成されていてもよく、要するに第１片体１４と幅広部３８とを連結するのに足る幅で形成されていてもよいが、実施例のように、幅広部３８を含む本体片４４の輪郭をディスクメディアＤの輪郭よりも大きく形成しておくと、ディスクメディアＤを覆うことができ保護する上で有利となる。
【００２５】
また、本実施例では、係止部４８が、第２の縁３４に沿った本体片４４の全域部分と第２の縁３４に沿った折り返し片４６の全域部分により形成されている場合について説明したが、係止部４８は、折り畳まれた第１片体１４および第３片体１８に対して第２片体１６を所定の開度で開いても、第３片体１８が第１片体１４に対して開くことを阻止しディスクメディアＤの抜落を阻止するものであるので、係止部４８を本体片４４寄りの折り返し片４６の部分あるいは折り返し片４６寄りの本体片４４の部分の何れか一方にのみ形成してもよいが、実施例のように、互いに重ねあわされる本体片４４と折り返し片４６の双方に係止部４８を形成するようにすると、係止部４８の強度、剛性を確保でき、係止部４８の係止用切れ目２４への係止状態を安定させる上で有利となる。
また、本実施例では、係止部４８を、折り返し片４６寄りに位置する本体片４４の部分と折り返し片４６の双方に形成し、これら重ねあわされた係止部４８を、１枚の片体１２の厚さの２倍の寸法の幅を持った係止用切れ目２４に挿入するようにしたので、ディスクメディアＤにより折り返し片４６が開こうとするもののこの折り返し片４６の動きは係止用切れ目２４により阻止され、したがって、ディスクメディアＤが本体片４４と折り返し片４６により安定した状態で挟持され、ディスクメディアＤの収納状態を安定させる上で有利となる。
【００２６】
次に、実施例２について説明する。
図９は実施例２のディスクメディア収納体の斜視図、図１０は実施例２のディスクメディア収納体を構成する一枚の片体の展開図（平面図）を示す。
実施例１と同様な箇所、部材に同一の符号を付してその説明を省略し異なった構成のみを説明すると、実施例１のディスクメディア収納体１０では１枚のディスクメディアＤを収納していたのに対し、実施例２のディスクメディア収納体７０では２枚のディスクメディアＤを収納するようにしたものである。
ディスクメディア収納体７０を構成する１枚の片体１２は、互いに連接された第１片体１４、第２片体１６、２つの第３片体１８を備えている。
第１片体１４は２つのディスクメディアＤの輪郭の和よりも大きな輪郭を有し、ディスクメディアＤの直径よりも大きい寸法の左右方向の幅と、この幅よりも大きい寸法の上下方向の高さとを有した上下に縦長の矩形に形成されている。
第１片体１４の左縦辺と上下の辺は直交しており、左縦辺の外縁に沿って第１折れ線２０が直線状に形成され、上下の辺の外縁に沿ってそれぞれ第２折れ線２２が直線状に形成され、第１折れ線２０と２本の第２折れ線２２は直交するように設けられている。
第２片体１６は２つのディスクメディアＤの輪郭の和よりも大きな輪郭を有し、ディスクメディアＤの直径よりも大きい寸法の左右方向の幅と、この幅よりも大きい寸法の上下方向の高さとを有した上下に縦長の矩形に形成され、第２片体１６は、第１折れ線２０部分が谷折りされた状態で第１片体１４に合致する形状で形成されている。
【００２７】
なお、実施例２においても実施例１と同様に、第１折れ線２０は、ディスクメディアＤの厚さなどを考慮して互いに間隔Ｓ（一枚の片体１２の厚さの２倍の寸法）をおき平行して延在する第１片体側折れ線２０Ａと第２片体側折れ線２０Ｂとの２本の折れ線で構成されている。
そして、第２片体側折れ線２０Ｂの延在方向に沿った中間の箇所に、より詳細には、上下の第２折れ線２２寄りの箇所に、それぞれ第２片体側折れ線２０Ｂに沿って縦切れ目２４Ａが延在形成され、各縦切れ目２４Ａの延在方向の両端は、それぞれ左右に延在する横切れ目２４Ｂを介して第１片体側折れ線２０Ａに接続され、縦切れ目２４Ａと上下の横切れ目２４Ｂからなる係止用切れ目２４が２つ形成されている。
２つの第３片体１８の構成は、実施例１と同様である。
【００２８】
次に、実施例２のディスクメディア収納体１０の組み立て方法と共にディスクメディアＤの収納方法について説明する。
まず、２つの第３片体１８の第３折れ線４２部分をそれぞれ谷折りし、各本体片４４の上に折り返し片４６を折り畳む。
次に、第２折れ線２２方向から各本体片４４と折り返し片４６との間に、記録面を本体片４４に臨ませてディスクメディアＤを挿入し、ディスクメディアＤの外周部を両側の第３折れ線４２とディスクメディア挿入用切れ目４０の両端との境の部分である両側の第３折れ線４２の内端部分４２Ａに係止させる。
次に、２本の第２折れ線２２部分をそれぞれ谷折りし、両側の第３折れ線４２の内端部分４２Ａに係止されたディスクメディアＤと共に各第３片体１８を第１片体１４上に折り畳む。
次に、第１折れ線２０部分を谷折りし、２つの第３片体１８上に第２片体１６を折り畳む。
第２片体１６を折り畳むと、２つの第３片体１８の各係止部４８がそれぞれ係止用切れ目２４に挿入されて係止され、２枚のディスクメディアＤが収納された状態で第１片体１４と第２片体１６とが間隔をおき平行して延在する扁平な矩形板状のディスク収納体７０が得られる。
したがって、ディスクメディアＤを挿入しつつ一枚の片体１２を折り畳んでいくというて簡単な操作により２枚のディスクメディアＤをディスクメディア収納体７０に収納することができる。
また、２枚のディスクメディアＤがディスク収納体１０に収納された状態で、各ディスクメディアＤ記録面は本体片４４および第２片体１６で覆われ、レーベル面は第１片体１４で覆われるので、ディスクメディアＤの損傷を防止する上でも有利となる。
【００２９】
次に、ディスクメディア収納体７０からディスクメディアＤを取り出す方法について説明する。
まず、第１片体１４および２つの第３片体１８上に対して第１折れ線２０部分を境に第２片体１６を所定の開度以上に開く。
これにより各第３片体１８の係止部４８がそれぞれ係止用切れ目２４から外れ、２つの第３片体１８は第２折れ線２２部分を境に開くことが可能となる。
そこで、各第３片体１８を第２折れ線２２部分を境に第１片体１４に対して開く。
第３片体１８を開くと、ディスクメディアＤは、本体片４４上に載置されその外周部の一部がディスクメディア挿入用切れ目４０に挿入され、両側の第３折れ線４２の内端部分４２Ａに係止されているので、ディスクメディアＤをディスクメディア挿入用切れ目４０から抜き出すことで取り出すことができる。
したがって、第２片体１６、第３片体１８を順に開いていくという簡単な操作により２枚のディスクメディアＤをディスクメディア収納体７０から取り出すことができる。
【００３０】
次に、実施例３について説明する。
図１１は実施例３のディスクメディア収納体の斜視図、図１２は実施例３のディスクメディア収納体を構成する一枚の片体の展開図（平面図）、図１３は第１片体、第２片体、第３片体が開かれ、本体片の上に折り返し片が折り畳まれ、ディスクメディア挿入用切れ目にディスクメディアＤが挿入された斜視図、図１４はディスクメディアが収納された第３片体および第１片体に対して第２片体を僅かに開いた斜視図を示す。
実施例１と同様な箇所、部材に同一の符号を付してその説明を省略し異なった構成のみを説明すると、実施例３のディスクメディア収納体８０は実施例１の変形例であり、実施例１では、図１に示すように、第１乃至第３片体１４，１６，１８が折り畳まれディスクメディアＤが収納された扁平板状のディスク収納体１０において、第１折れ線２０が左側に位置し、第２片体１６の右側端部が開かれるように構成されているのに対し、実施例３のディスクメディア収納体８０では、図１１に示すように、第１折れ線２０が右側に位置し、第２片体１６の左側端部が開かれるように構成されている。すなわち、実施例３では、第２片体１６の開かれる向き（方向）のみが実施例１と異なっている。
実施例３のディスクメディア収納体８０は、図１２に示す一枚の片体１２から構成され、実施例１と比べ、第１片体１４に対して第２片体１６が連接される箇所が、第１片体１４の左側ではなく右側となっている。
また、係止部４８が形成される箇所も、第３片体１８の左側ではなく右側となっている。
他の構成は実施例１と同様であり、実施例３によっても実施例１と同様な作用、効果が奏される。
【００３１】
次に、実施例４について説明する。
図１５はディスクメディアが収納された第３片体および第１片体に対して第２片体を僅かに開いた実施例４のディスクメディア収納体の斜視図、図１６は実施例４のディスクメディア収納体を構成する一枚の片体の展開図（平面図）を示す。
実施例１と同様な箇所、部材に同一の符号を付してその説明を省略し異なった構成のみを説明すると、実施例４のディスクメディア収納体９０は実施例２の変形例であり、実施例２では、図９に示すように、第１乃至第３片体１４，１６，１８が折り畳まれ２枚のディスクメディアＤが収納された扁平板状のディスク収納体７０において、第１折れ線２０が左側に位置し、第２片体１６の右側端部が開かれるように構成されているのに対し、実施例４のディスクメディア収納体９０では、図１５に示すように、第１折れ線２０が右側に位置し、第２片体１６の左側端部が開かれるように構成されている。すなわち、実施例４では、第２片体１６の開かれる向き（方向）のみが実施例２と異なっている。
実施例４のディスクメディア収納体９０は、図１６に示す一枚の片体１２から構成され、実施例１と比べ、第１片体１４に対して第２片体１６が連接される箇所が、第１片体１４の左側ではなく右側となっている。
また、係止部４８が形成される箇所も、第３片体１８の左側ではなく右側となっている。
他の構成は実施例２と同様であり、実施例４によっても実施例２と同様な作用、効果が奏される。
【図面の簡単な説明】
【００３２】
【図１】実施例１のディスクメディア収納体の斜視図である。
【図２】ディスクメディア収納体を構成する一枚の片体の展開図（平面図）である。
【図３】図２の状態から第３折れ線部分が谷折りされた平面図である。
【図４】図３の状態から折り返し片の下にディスクメディアが挿入されディスクメディアの外周部が第３折れ線の内端部分に係止された図である。
【図５】図４の状態から第３片体をディスクメディアと共に第１片体上に折り返した図である。
【図６】図５の状態から第２片体を第１片体および第３片体上に折り返した図である。
【図７】折り返し片の下にディスクメディアが挿入されディスクメディアの外周部が第３折れ線の内端部分に係止された斜視図である。
【図８】ディスクメディアが収納された第３片体および第１片体に対して第２片体を僅かに開いた斜視図である。
【図９】実施例２のディスクメディア収納体の説明図で、２枚のディスクメディアが収納された第３片体および第１片体に対して第２片体を僅かに開いた斜視図である。
【図１０】実施例２のディスクメディア収納体を構成する一枚の片体の展開図（平面図）である。
【図１１】実施例３のディスクメディア収納体の斜視図である。
【図１２】実施例３のディスクメディア収納体を構成する一枚の片体の展開図（平面図）である。
【図１３】第１片体、第２片体、第３片体が開かれ、本体片の上に折り返し片が折り畳まれ、ディスクメディア挿入用切れ目にディスクメディアＤが挿入された斜視図である。
【図１４】ディスクメディアが収納された第３片体および第１片体に対して第２片体を僅かに開いた斜視図である。
【図１５】ディスクメディアが収納された第３片体および第１片体に対して第２片体を僅かに開いた実施例４のディスクメディア収納体の斜視図である。
【図１６】実施例４のディスクメディア収納体を構成する一枚の片体の展開図（平面図）である。
【符号の説明】
【００３３】
１０、７０、８０，９０……ディスクメディア収納体、１２……片体、１４……第１片体、１６……第２片体、１８……第３片体、２０……第１折れ線、２２……第２折れ線、２４……係止用切れ目、４０……ディスクメディア挿入用切れ目、４２……第３折れ線、４４……本体片、４６……折り返し片、４８……係止部。
【図１】
2006111302.tif 000003
【図２】
2006111302.tif 000004
【図３】
2006111302.tif 000005
【図４】
2006111302.tif 000006
【図５】
2006111302.tif 000007
【図６】
2006111302.tif 000008
【図７】
2006111302.tif 000009
【図８】
2006111302.tif 000010
【図９】
2006111302.tif 000011
【図１０】
2006111302.tif 000012
【図１１】
2006111302.tif 000013
【図１２】
2006111302.tif 000014
【図１３】
2006111302.tif 000015
【図１４】
2006111302.tif 000016
【図１５】
2006111302.tif 000017
【図１６】
2006111302.tif 000018